(57)【特許請求の範囲】
【請求項１】
複数のリレーあるいは／およびヒューズの収容部が並列されるハウジングの一側方にカバー板を配置し、電源と接続される一枚の電源接続用バスバーを上記カバー板に間隔をあけて突設した枠形状の被覆板の内部に挿通させて上記リレー、ヒューズの並列方向に連続させて取り付け、上記電源接続用バスバーは上記被覆板の間で一定間隔で露出させて接続部分とし、該接続部分は上記カバー板との間に隙間を設けている一方、
上記ハウジングには中継用バスバー収容部をヒューズ収容部あるいはリレー収容部と連続して設け、上記中継用バスバー収容部内に、ヒューズあるいはリレーの端子と接続させるヒューズ・リレー側の端子部と、上記電源接続用バスバーに圧接接続させる圧接スロットを一端に有する電源側端子部とを設けた中継用バスバーを取り付けておき、
上記並列される各ハウジングの中継用バスバーの電源側端子部の圧接スロットを、上記カバー板に取り付けた電源接続用バスバーの上記接続部分に上方から差し込んで圧接接続させる構成としている電源供給構造。
【請求項２】
上記カバー板に沿って並設される上記ハウジングは、カセットタイプで着脱自在に連結される複数のハウジングからなり、これら各ハウジングに上記中継用バスバーを取り付けており、各カセット式のヒューズ、リレーのハウジング内のヒューズ、リレーを上記中継用バスバーを介して、上記１枚の電源接続用バスバーに接続している請求項１に記載の電源供給構造。
【請求項３】
上記ハウジングはヒューズ収容部とリレー収容部を一体的に設けており、ヒューズ接続用タブとリレー接続用タブとを設けた連結バスバーをハウジング内に収容して、ヒューズとリレーとを接続する請求項１または請求項２に記載の電源供給構造。
【発明の詳細な説明】
【０００１】
【発明の属する技術分野】
本発明は、自動車用の電源供給構造に関し、詳しくは、リレーボックス、ヒューズボックスあるいはリレー・ヒューズボックスへの電源供給構造であって、並設する上記ボックスの個数に増減があっても対応できるようにするものである。
【０００２】
【従来の技術】
従来、図１０に示すように、自動車用のリレーボックス１は、複数のヒューズキャビティ２およびリレーキャビティ３を一体的に備えており、リレーボックス１に取り付けられるリレーおよびヒューズに電源を供給する方法として、バスバーを上記キャビティ間に配置して行っている。
上記リレーボックス１では、１つのハンジング内に、複数のヒューズキャビティ２およびリレーキャビティ３が設けられているため、ヒューズ、リレーの個数に増減があると、ボックス自体を変更しなければならず、仕様変更に容易に対応できない問題がある。
【０００３】
そこで、実開昭６０−１３２１２６号等において、図１１に示すように、ヒューズ、リレーの個数の増減に対応できるものとしてカセット式ボックス４が提案されている。
カセット式ボックス４は、１つ或いは２つ等のリレー収容部あるいは／およびヒューズ収容部を設けたハウジング５、６、７、８を設け、これらハウジング５〜８の外面に着脱自在に連結される連結部９を設けており、所要個数のハウジングを着脱自在に嵌合して連結している。
【０００４】
【発明が解決しようとする課題】
しかしながら、上記カセット式ボックスを連結する場合、各ハウジング５、６、７、８への電源供給は、バスバーでつなげることができず、電源線を各ハウジング５、６、７、８に接続する必要があり、電源線の接続に作業手数がかかると共に、電源線を多用するためにコスト高になる問題がある。
【０００５】
本発明は、上記問題に鑑みてなされたもので、特に、カセット式でハウジングが連結されるリレー、ヒューズに電源線を用いずに、バスバーを用いて電源を供給できるようにすることを課題としている。
【０００６】
【課題を解決するための手段】
上記課題を解決するため、本発明は、複数のリレーあるいは／およびヒューズの収容部が並列されるハウジングの一側方にカバー板を配置し、電源と接続される一枚の電源接続用バスバーを上記カバー板に間隔をあけて突設した枠形状の被覆板の内部に挿通させて上記リレー、ヒューズの並列方向に連続させて取り付け、上記電源接続用バスバーは上記被覆板の間で一定間隔で露出させて接続部分とし、該接続部分は上記カバー板との間に隙間を設けている一方、
上記ハウジングには中継用バスバー収容部をヒューズ収容部あるいはリレー収容部と連続して設け、上記中継用バスバー収容部内に、ヒューズあるいはリレーの端子と接続させるヒューズ・リレー側の端子部と、上記電源接続用バスバーに圧接接続させる圧接スロットを一端に有する電源側端子部とを設けた中継用バスバーを取り付けておき、
上記並列される各ハウジングの中継用バスバーの電源側端子部の圧接スロットを、上記カバー板に取り付けた電源接続用バスバーの上記接続部分に上方から差し込んで圧接接続させる構成としている電源供給構造を提供している。
【０００７】
上記構成とすると、上記並列される各ヒューズ、リレーへの電源の供給は、電源線を用いることなく、上記カバー板に配置される一枚の電源接続用バスバーにて行うことができる。
上記ハウジングの取付作業も、ハウジングの中継用バスバーの電源側端子部を、上記カバー板の電源接続用バスバーにワンタッチで嵌合するだけで、中継用バスバーを介してリレーあるいはヒューズの端子と電気接続されることができるため、作業工数が大幅に削減される。
また、仕様変更の際も、カバー側の電源接続用バスバーと接続されるハウジング側の中継用バスバーが変わるだけであるため、ハウジングおよびカバー自体を変更する必要はなく、仕様変更に容易に対応させることができる。
【０００８】
上記電源接続用バスバーは、カバー板に間隔をあけて突設した枠形状の被覆板の内部に挿通させて取り付け、上記被覆板により上記ハウジング側の中継用バスバーとの非接続部分が被覆されていると共に、被覆板の間で一定間隔で露出させて接続部分とし、該接続部分は上記カバー板との間に隙間を設けている一方、
上記ハウジングには中継用バスバー収容部をヒューズ収容部あるいはリレー収容部と連続して設け、上記中継用バスバーは、その一端に圧接スロットを有する上記電源側端子部を備え、該電源側端子部の圧接スロットを上記電源接続用バスバーに上方から差し込んで圧接接続させる構成としている。
【０００９】
上記構成により、中継用バスバーが一定間隔に設けられた電源接続用バスバーの接続部分に接続された状態においては、中継用バスバーの電源側端子部が隣合う被覆板により狭持され、安定保持される。
また、電源側端子部の圧接スロットを電源接続用バスバーに上方より差し込むだけで圧接接続され、電気接続を簡単に行うことができる。
なお、上記ヒューズ収容部あるいは上記リレー収容部より上記中継用バスバー収容部を連続して設けることで、電源接続用バスバーとヒューズあるいはリレーを中継する中継用バスバーを最短で効率良く配置することができる。
【００１０】
上記カバー板に沿って並設される上記ハウジングは、カセットタイプで着脱自在に連結される複数のハウジングからなり、これら各ハウジングに上記中継用バスバーを取り付けており、各カセット式のヒューズ、リレーのハウジング内のヒューズ、リレーを上記中継用バスバーを介して、上記１枚の電源接続用バスバーに接続している。
【００１１】
本発明は、特に、１つ或いは２つ等のヒューズ収容部、リレー収容部を設けたヒューズハウジング、リレーハウジングを所要個数着脱自在に連結するカセットタイプのものに好適に用いられる。
前記したように、カセットタイプのハウジングからなり、これらを所要個数を連結して用いる場合、各ハウジングの端子に電源線を夫々接続していたが、本発明では、カバー板に沿って着脱自在に連結されるハウジングを並設し、これらハウジングから突出される中継用バスバーの電源側端子部をカバー板に取り付けた電源接続用バスバーに嵌合することにより、電源を供給している。これにより、カセットタイプで連結して並列される各ハウジングへの電源供給を１本のバスバーにて行うことができる。
このように、着脱自在に連結されるカセットタイプのハウジングを用いることによりヒューズ、リレーの個数の増減に、ハウジングおよびカバーを変更することなく、容易に対応させることができる。
【００１２】
上記ハウジングはヒューズ収容部とリレー収容部を一体的に設けており、ヒューズ接続用タブとリレー接続用タブとを設けた連結バスバーをハウジング内に収容して、ヒューズとリレーとを接続したものに好適に用いられる。
【００１３】
上記のように、ヒューズ収容部とリレー収容部とを一つのハウジングに設けると、リレー収容部およびヒューズ収容部を夫々別体としていた場合に比べ、部品点数および取付工数が低減される。
また、ヒューズとリレーを接続するための部品として、内蔵型の連結バスバーを用いることで、電線にて接続する場合のような組立時の接続が不要となり、かつ、小型化される。
【００１４】
【発明の実施の形態】
次に、本発明の実施形態を図面を参照して説明する。
図１乃至図５は第１実施形態を示す。第１実施形態はカセット式のハウジング１０を連結して並設したものからなり、これらハウジング１０の一側方にカバー板１１が配置されているものからなる。
【００１５】
各ハウジング１０は、中継用バスバー収容部１７とヒューズ収容部１６とリレー収容部１５を備え、中継用バスバー収容部１７とヒューズ収容部１６にかけて中継用バスバー１４を収容していると共に、ヒューズ収容部１６からリレー収容部１５にかけて連結バスバー１８を収容している。
【００１６】
リレー収容部１５は、取り付けられるリレーの電源側端子が収容される電源側端子収容室１５ａと、負荷側端子が収容される負荷側端子収容室１５ｂとを備えている。ヒューズ収容部１６は、取り付けられるヒューズの電源側端子が収容される電源側端子収容室１６ａと、負荷側端子が収容される負荷側端子収容室１６ｂとを備えている。
【００１７】
中継用バスバー１４は、図３に示すように、コ字形状に屈曲しており、その底面に設けられたスリットと連続するように下向き開口の圧接スロットを有する両側の電源側端子部１４ａと、上記電源側端子部１４ａの一方より連続し上向き開口の圧接スロットを有するヒューズ・リレー接続用の端子部１４ｂを備えており、電源側端子部１４ａを中継用バスバー収容部１７に収容し、端子部１４ｂをヒューズ収容部１６の電源側端子収容室１６ａに収容している。
【００１８】
連結バスバー１８は、図５に示すように、一端をヒューズ収容部１６の負荷側端子収容室１６ｂに収容し、他端をリレー収容部１５の電源側端子収容室１５ａに収容している。
【００１９】
ハウジング１０の両側面には、図１、図４および図５に示すように、他のハウジング１０と着脱自在に連結するための連結部を備えており、該連結部はハウジング１０の一側面のＬ字状の係止部１２ａと、係止部１２ａと係止する構造である他側面のＬ字状の被係止部１２ｂとからなる。
【００２０】
一方、カバー板１１は、図３に示すように、一定間隔で被覆板１１ａを突設しており、電源と接続している短冊状の電源接続用バスバー１３を被覆板１１ａの内部に挿通させている。この時、カバー板１１の外面と電源接続用バスバー１３との間には隙間が設けられている。
【００２１】
ハウジング１０と電源接続用バスバー１３との接続方法は、図２（Ａ）（Ｂ）および図３に示すように、電源接続用バスバー１３の露出部分の上方より、ハウジング１０に内蔵されている中継用バスバー１４の電源側端子部１４ａを挿入して圧接接続するようにしている。
【００２２】
図１は複数のハウジング１０の中継用バスバー１４が電源接続用バスバー１３に接続された状態を示している。ハウジング１０の係止部１２ａを他のハウジング１０の被係止部１２ｂに係止して連結部を構成することで、隣合うハウジング１０同士が連結されている。
なお、本実施例では、電源接続用バスバー１３にはハウジング１０のみを接続している場合のみを開示しているが、電源供給を必要とする他の部品（例えば大型リレー等）を接続してもよい。
【００２３】
上記第１実施形態によれば、カセット式のハウジング１０は所要個数が連結され、これら連結されたハウジング１０の各中継用バスバー１４はカバー板１１に取り付けた電源接続用バスバー１３に嵌合接続するだけで電気接続することができる。よって、ハウジング１０の個数が増減すると、電源接続用バスバー１３に接続される中継用バスバー１４の個数が代わるだけであり、電源供給構造自体を変更する必要はない。
【００２４】
図６および図７は第２実施形態を示す。
第２実施形態は４つのヒューズ収容部１６のみを備えた２つのカセット式のヒューズ・ハウジング１０’を連結した形態である。
【００２５】
中継用バスバー１４′は、第１実施形態の中継用バスバー１４と同様の電源側端子部１４ａを備える一方、連続して４つ設けられたヒューズ接続用の端子部１４ｂを備えており、電源側端子部１４ａを中継用バスバー収容部１７に収容し、４つのヒューズ接続用の端子部１４ｂは夫々４つのヒューズ収容部１６の電源側端子収容室１６ａに収容している。
他の構成は、第１実施形態と同様であるため、説明を省略する。
【００２６】
図８および図９は第３実施形態を示す。
第３実施形態はリレー収容部１５のみを備えたカセット式のリレー・ハウジング１０″を所要個数連結する形態のものである。
【００２７】
中継用バスバー１４″は、第１実施形態の中継用バスバー１４と同様の電源側端子部１４ａを備える一方、連続して第１のリレー接続用の端子１４ｃおよび第２のリレー接続用の端子部１４ｄを備えている。電源側端子部１４ａを中継用バスバー収容部１７に収容し、第１のリレー接続用の端子部１４ｃおよび第２のリレー接続用の端子部１４ｄは夫々リレー収容部１５の２つの電源側端子収容室１５ａに収容している。
他の構成は、第１実施形態と同様であるため、説明を省略する。
【００２８】
【発明の効果】
以上の説明より明らかなように、本発明によれば、リレー、ヒューズの個数の増減があっても、これらをカバー板に取り付けた１本の電源接続用バスバーを用いて電源を供給することができる。
よって、特に、リレーハウジング、ヒューズハウジングをカセット式として所要個数を着脱自在に連結する構成のものにおいて、電源線を用いて電源を供給する代わりに、１本のバスバーを用いて電源を供給することができ、各ハンジングへの電源線の接続を無くすことが出来、その結果、接続作業手数の削減および電源線の使用量の削減が図れ、コスト低下を図ることができる。
【００２９】
また、上記電源接続用バスバーとの接続は、各ハンジングから突出する中継用バスバーの電源側端子部の圧接スロットをカバー板に取り付けた電源接続用バスバーにワンタッチで圧接接続するだけであるので、作業工数を大幅に削減することができる。
【００３０】
また、ヒューズ収容部とリレー収容部とを一つのハウジングに設けると、リレー収容部およびヒューズ収容部を夫々別体としていた場合に比べ、部品点数および取付工数が低減される。また、ヒューズとリレーをハウジングに内蔵された連結バスバーにて接続すると、電線にて接続した場合と比べ、接続が簡単で、かつ、小型化される。
【図面の簡単な説明】
【図１】  第１実施形態の平面図である。
【図２】  （Ａ）（Ｂ）は第１実施形態のハウジングの電源接続用バスバーへの取付を説明する断面図である。
【図３】  第１実施形態の中継用バスバーの電源接続用バスバーへの取付を説明する一部断面斜視図である。
【図４】  第１実施形態のハウジングの上面図である。
【図５】  第１実施形態のハウジングの底面図である。
【図６】  第２実施形態のハウジングの電源接続用バスバーへの取付後の断面図である。
【図７】  第２実施形態のハウジングの上面図である。
【図８】  第３実施形態のハウジングの電源接続用バスバーへの取付後の断面図である。
【図９】  第３実施形態のハウジングの上面図である。
【図１０】  従来のリレーボックスの上面図である。
【図１１】  別の従来のリレーボックスの斜視図である。
【符号の説明】
１０  ハウジング
１１  カバー板
１１ａ  被覆板
１２ａ  係止部（連結部）
１２ｂ  被係止部（連結部）
１３  電源接続用バスバー
１４  中継用バスバー
１４ａ  電源側端子部
１４ｂ  ヒューズ・リレー接続用の端子部
１５  リレー収容部
１６  ヒューズ収容部
１７  中継用バスバー収容部
１８  連結バスバー
【図１】
0003932824.tif 000002
【図２】
0003932824.tif 000003
【図３】
0003932824.tif 000004
【図４】
0003932824.tif 000005
【図５】
0003932824.tif 000006
【図６】
0003932824.tif 000007
【図７】
0003932824.tif 000008
【図８】
0003932824.tif 000009
【図９】
0003932824.tif 000010
【図１０】
0003932824.tif 000011
【図１１】
0003932824.tif 000012